(57)【要約】【課題】本発明は、隣り合うキーボードスイッチ間の間隔を狭くすることができるキーボードスイッチを提供すること。【解決手段】本発明のキーボードスイッチの複数のリンク部材は、上方支持部３ｅ、３ｅがキートップ２に回動自在に支持されると共に下方支持部３ｈ、３ｈがベースプレート８にスライド自在に支持される第１リンク部材３と、側面視がＶ字状に組み合わされて両端部５ｊ、５ｊが互いに接離自在な第２リンク部材４とからなり、この第２リンク部材４は、第１リンク部材３に対して直交する方向に配設されると共に、両端部５ｊ、５ｊに形成したそれぞれの支持部５ｋ、５ｋがキートップ２及びベースプレート８にそれぞれ回動自在に支持されているので、キートップ２を水平状態でベースプレート８側に垂直降下させることができる。【選択図】        図１
2004281140.tif 000002
【特許請求の範囲】
【請求項１】
キートップと、このキートップと対向する側に絶縁性のフィルムシートを介して配設されたベースプレートと、前記キートップを前記ベースプレートから所定高さの位置に弾性付勢する弾性部材と、前記キートップを前記ベースプレートに対して昇降自在に支持可能な複数のリンク部材と、前記フィルムシートに形成したスイッチ回路とを備え、
前記複数のリンク部材は、一端部寄りに形成した上方支持部が前記キートップに回動自在に支持されると共に他端部寄りに形成した下方支持部が前記ベースプレートにスライド自在に支持される第１リンク部材と、
上方と下方のレバーが側面視Ｖ字状に組み合わされて、互いに対向する端部が接離自在な第２リンク部材とからなり、
この第２リンク部材は、前記第１リンク部材に対して直交する方向に配設されると共に、前記端部には、それぞれ前記キートップまたは前記ベースプレートに回動自在に支持可能な支持部が形成されていることを特徴とするキーボードスイッチ。
【請求項２】
前記第２リンク部材は、前記Ｖ字状の交叉部分を前記弾性部材近傍に位置させて配設され、前記第１リンク部材は、前記弾性部材及び前記第２リンク部材を包含する大きさに形成されていることを特徴とする請求項１記載のキーボードスイッチ。
【請求項３】
前記第２リンク部材は、前記上方と下方のレバーが同一形状の形成され、いずれ一方の前記レバーを反転させて前記Ｖ字状に組み合わされていることを特徴とする請求項１、または２記載のキーボードスイッチ。
【請求項４】
前記上方と下方のレバーには、それぞれ凸部と凹部が形成され、前記第２リンク部材は、前記上方のレバーの凸部と凹部と、前記下方のレバーの凹部と凸部とを互いに嵌合させて前記Ｖ字状に形成されているいることを特徴とする請求項１乃至３のいずれかに記載のキーボードスイッチ。
【請求項５】
前記第１、第２リンク部材の前記上方支持部と前記下方支持部は、それぞれ本体部から突出形成され、少なくとも前記第１リンク部材の前記上方支持部に割り溝を形成し、この割り溝が形成された前記上方支持部を前記キートップの回動支持部にスナップ係合させるようにしたことを特徴とする請求項１乃至４のいずれかに記載のキーボードスイッチ
【発明の詳細な説明】
【０００１】
【発明の属する技術分野】
本発明はキーボードスイッチに係わり、特にキートップを複数のリンク部材で支持したキーボードスイッチに関する。
【０００２】
【従来の技術】
従来のキーボードスイッチを図１８に基づいて説明すると、従来のキーボードスイッチ１１は、ベースプレート１２と、このベースプレート１２の上方に設けられたキートップ１３と、このキートップ１３とベースプレート１２との間に互いに接触することなく直交して回動する小リンク部材１４と大リンク部材１５とが設けられている。
前記小リンク部材１４は、下端両端部の摺動部１４ａ、１４ｂが、基板側１２のスライドガイド１２ａ、１２ｂにそれぞれ摺動自在に係合され、上端両端部の回動部１４ｃ、１４ｄがキートップ１３の軸受け部１３ａ、１３ｂにそれぞれ回動自在に軸支されている。
【０００３】
また、大リンク部材１５は、下端両端部の回動部１５ａ、１５ｂが、基板側１２の字くけ部１２ｃ、１２ｄにそれぞれ回動自在に軸支され、上端両端部の回動部１５ｃ、１５ｄがキートップ１３の軸受け部１３ｃ、１３ｄにそれぞれ回動自在に軸支されている。
また、ベースプレート１２上にはラバースプリング１６が配設されて、キートップ１３を所定高さに弾性付勢している。
【０００４】
このような従来のキーボードスイッチ１１の操作は、操作者がキートップ１３を下方に押圧することにより、ラバースプリング１６が弾性変形すると共に、小リンク部材１４及び大リンク部材１５が下方に押し上げられる。
そして、キートップ１３は、２点差線で示すように、ベースプレート１２上の降下位置まで降下して停止する。
この時のキートップ１３は、大リンク部材１５が下端両端部の回動部１５ａ、１５ｂを支点として矢印Ａ方向に回動しながらこうかするので、図示右方向に移動しながら降下する。そして、キートップ１３は、上昇位置にたいして寸法Ｂ位置ズレした状態で降下位置に位置するようになっている。
また、キートップ１３が降下位置まで降下することにより、ラバースプリング１６が弾性変形して、ベースプレート１２上のメンブレンシート１７に形成したスイッチ回路（図示せず）が切り換わるようになっている。
【０００５】
【特許文献１】
特開平２００１−２８３６７５号公報
【０００６】
【発明が解決しようとする課題】
しかし、従来のキーボードスイッチ１１は、上昇位置から降下位置に降下したキートップが、寸法Ｂ位置ズレするので、複数のキーボードスイッチを隣り合わせて整列配置したキーボード装置に使用する場合は、隣り合うキーボードスイッチ間の間隔を広げなければならなかった。
そのために、従来のキーボードスイッチ１１を用いたキーボード装置が大型になる問題があった。
本発明は、前述したような課題を解決して、隣り合うキーボードスイッチ間の間隔を狭くすることができるキーボードスイッチを提供することを目的とする。
【０００７】
【課題を解決するための手段】
前記課題を解決するための第１の手段として本発明のキーボードスイッチは、キートップと、このキートップと対向する側に絶縁性のフィルムシートを介して配設されたベースプレートと、前記キートップを前記ベースプレートから所定高さの位置に弾性付勢する弾性部材と、前記キートップを前記ベースプレートに対して昇降自在に支持可能な複数のリンク部材と、前記フィルムシートに形成したスイッチ回路とを備え、
前記複数のリンク部材は、一端部寄りに形成した上方支持部が前記キートップに回動自在に支持されると共に他端部寄りに形成した下方支持部が前記ベースプレートにスライド自在に支持される第１リンク部材と、
上方と下方のレバーが側面視Ｖ字状に組み合わされて、互いに対向する端部が接離自在な第２リンク部材とからなり、
この第２リンク部材は、前記第１リンク部材に対して直交する方向に配設されると共に、前記端部には、それぞれ前記キートップまたは前記ベースプレートに回動自在に支持可能な支持部が形成されていることを特徴とする。
【０００８】
また、前記課題を解決するための第２の手段として、前記第２リンク部材は、前記Ｖ字状の交叉部分を前記弾性部材近傍に位置させて配設され、前記第１リンク部材は、前記弾性部材及び前記第２リンク部材を包含する大きさに形成されていることを特徴とする。
【０００９】
また、前記課題を解決するための第３の手段として、前記第２リンク部材は、前記上方と下方のレバーが同一形状の形成され、いずれ一方の前記レバーを反転させて前記Ｖ字状に組み合わされていることを特徴とする。
【００１０】
また、前記課題を解決するための第４の手段として、前記上方と下方のレバーには、それぞれ凸部と凹部が形成され、前記第２リンク部材は、前記上方のレバーの凸部と凹部と、前記下方のレバーの凹部と凸部とを互いに嵌合させて前記Ｖ字状に形成されているいることを特徴とする。
【００１１】
また、前記課題を解決するための第５の手段として、前記第１、第２リンク部材の前記上方支持部と前記下方支持部は、それぞれ本体部から突出形成され、少なくとも前記第１リンク部材の前記上方支持部に割り溝を形成し、この割り溝が形成された前記上方支持部を前記キートップの回動支持部にスナップ係合させるようにしたことを特徴とする。
【００１２】
【発明の実施の形態】
本発明は、パーソナルコンピュータ等の入出力機器に使用されるキーボード装置あるいは入力スイッチ装置に用いて好適なキーボードスイッチに関し、本発明の１実施の形態のキーボードスイッチを図１〜図１７に基づいて説明する。
図１は本発明に関するキーボードスイッチの斜視図であり、図２は図１の平面図であり、図３は図２正面図であり、図４は図２の右側面図であり、図５は図７の５−５断面図であり、図６は図７の６−６断面図であり、図７は本発明に係わるキートップの下面図であり、図８、図９は本発明に係わる第１リンク部材を説明する図であり、図１０〜図１２は本発明に係わる第２リンク部材を説明する図であり、図１３、図１４は第２リンク部材の組立を説明する図であり、図１５〜図１７は本発明に係わるベースプレートを説明する図である。
【００１３】
まず、本発明のキーボードスイッチ１は、図１〜図４に示すように、最上部に２点鎖線で示すようなキートップ２が配設されている。このキートップ２は、樹脂材料等からなり、図５〜図７に示すように、外形が略矩形状に形成され、上面に操作面２ａを有する上壁２ｂが形成され、この上壁２ｂの周囲に裾野状に周壁２ｃが形成されている。
また、上壁２ｂの裏面２ｄには、図７に示すように、一対の第１回動支持部２ｅ、２ｅが図示左右方向に対向して形成され、図示上下方向に対向して一対の第２回動支持部２ｆ、２ｆが形成されている。
それぞれの第１、第２回動支持部２ｅ、２ｆは、後述する第１、第２リンク部材３、４の一端部寄りに形成した上方支持部３ｅ、３ｅを、スナップ係支可能なスリ割り状に形成されている。
【００１４】
また、第１リンク部材３は、樹脂材料等からなり、図８に示すように、外形が略矩形状に形成された本体部３ａを有し、この本体部３ａは、図９に示すように、所定厚さの肉厚に形成されて、図示右側に一方の面３ｂ、図示左側に他方の面３ｃが平行に形成されている。
また、本体部３ａの図示上方の一端部３ｄ寄りには、左右両端部から外向きに上方支持部３ｅ、３ｅが突出形成され、この上方支持部３ｅ、３ｅに割り溝３ｆ、３ｆが形成されて、キートップ２の第１回動支持部２ｅ、２ｅにスナップ係支可能になっている。
【００１５】
また、本体部３ａの図示下方の他端部３ｇ寄りには、左右両端部から外向きに下方支持部３ｈ、３ｈが突出形成され、この下方支持部３ｈ、３ｈが、後述するベースプレート８のスライド支持部８ａにスライド自在に支持可能になっている。
また、本体部３ａの中央部には、矩形状と半円形状とを組み合わせた開口部３ｊが貫通形成され、矩形状部分に後述する第２リンク部材４が位置し、半円部分に後述するラバースプリング６が位置するようになっている。
そして、キートップ２の押圧操作で第１リンク部材３が傾倒しても、第２リンク部材４及びラバースプリング６が第１リンク部材３に接触しないようになっている。
【００１６】
また、第１リンク部材３は、上方支持部３ｅ、３ｅが一方の面３ｂに接して形成され、下方支持部３ｈ、３ｈが他方の面３ｃに接して形成されている。
そして、一方の面３ｂをキートップ２の裏面２ｄと対向させると共に、他方の面３ｃを後述するベースプレート８と対向させた状態で、上方支持部３ｅ、３ｅをキートップ２の第１回動支持部２ｅ、２ｅにスナップ係支すると共に、下方支持部３ｈ、３ｈを後述するベースプレート８のスライド支持部８ａに支持するようになっている。
【００１７】
また、第２リンク部材４は、図１３、図１４に示すように、同一形状に形成された上方と下方のレバー５、５を、側面視Ｖ字状に組み合わせ、互いに対向する端部５ｊ、５ｊが接離自在になっている。
前記一対のレバー５は、どちらも同一形状に形成されているので、上方のレバー５を図１０〜図１２に基づいて説明する。
まず、レバー５は、上部の一端部５ａに略半円状の切り欠き部５ｂが形成された本体部５ｃを有し、前記一端部５ａの図示右側の外方に連結突起５ｄが突出形成され、本体部５ｃの図示左側面には、ガイド壁５ｅが形成されている。このガイド壁５ｅは、図１１に示すように、略弾円形状に形成されている。
前記ガイド壁５ｅには、連結突起５ｄの図示左方向の延長線上に、連結孔５ｆが貫通形成され、この連結孔５ｆに、反転させた下方のレバー５の連結突起５ｄが嵌合して回動可能になっている。
【００１８】
また、ガイド壁５ｅに接する部分の本体部５ｃには、矩形状の凹部５ｇが貫通形成され、この凹部５ｇの図示右方向の延長線上に、凸部５ｈが形成され、この凸部５ｈが、反転させた下方のレバー５の凹部５ｇに嵌合可能になっている。
また、本体部５ｃの図示下部側の他端部５ｊからは、図示左右の外方に向けて支持部５ｋ５ｋがそれぞれ突出形成されている。
また、他端部５ｊの図示左寄りの位置に、所定の幅寸法と深さ寸法の逃げ溝５ｍが切り欠き形成されている。
【００１９】
そして、上方と下方のレバー５、５を一対準備して、図１３に示すように、下方のレバー５を反転させて、互いの本体部５ｃ、５ｃを略直角状に交叉させた状態で、一端部５ａ同志を互いに突き合わせる。
この時、図示上方側に位置する上方のレバー５は、連結突起５ｄを下方のレバー５のガイド壁５ｅの左側に位置させることにより、下方のレバー５は、連結突起５ｄが上方のレバー５のガイド壁５ｅの右側に位置する。
【００２０】
この状態の上方のレバー５の連結突起５ｄを下方のレバー５の連結孔５ｆに嵌合させ、同時に下方のレバー５の連結突起５ｄを上方のレバー５の連結孔５ｆに嵌合させると、図１４に示すように、上方と下方の一対のレバー５、５のそれぞれの一端部５ａ、５ａが連結される。
そして、略直角状に連結された互いの本体部５ｃ、５ｃを、側面視がＶ字状になるように角度を狭めていくと、Ｖ字状の交叉部分から延出形成されて互いに対向するそれぞれの他端部５ｊ、５ｊが接離自在となって第２リンク部材４が組み立てられている。
すなわち、第２リンク部材４は、一方と他方の一対のレバー５、５が、Ｖ字状に組み合わされて、互いに対向する端部５ｊ、５ｊが接離自在となっている。
【００２１】
また、第２リンク部材４は、Ｖ字状に組み合わされた一対のレバー５、５を互いに回動させることにより、上方のレバー５の凸部５ｈと凹部５ｇと、下方のレバー５の凹部５ｇと凸部５ｈとが互いに嵌合するようになっている。
そのために、第２リンク部材４は、互いのレバー５、５の図示左右方向の動きが規制されるようになっている。
【００２２】
このように、側面視がＶ字状に組み合わされた第２レバー部材４は、上方のレバー５の支持部５ｋ、５ｋが、キートップ２の第２回動支持部２ｆ、２ｆに回動支持され、下方のレバー５の支持部５ｋ、５ｋが、後述するベースプレート８の回動支持部８ｂに回動支持されるようになっている。
そして、Ｖ字状に組み合わされた第２リンク部材４は、第１リンク部材３の開口部３ｊ内に位置するようになっている。
【００２３】
また、図１に示すように、キートップ２に支持された、第１リンク部材３の開口部３ｊの半円状の部分と、第２レバー部材４のそれぞれのレバー５の半円状の切り欠き部５ｂとに挟まれた部分に、内部にドーム状の空洞部（図示せず）を有する弾性部材であるラバースプリング６が配設されている。
このラバースプリング６は、後述するフィルムシート７に接着剤等で固着されている。
前記ラバースプリング６は、空洞部内の天井部に可動接点部（図示せず）が形成されて、ラバースプリング６を弾性変形させることにより、可動接点部が後述するフィルムシート７の固定接点部に導通してスイッチ回路が切り換わるようになっている。
【００２４】
また、第１リンク部材３の他端部３ｇ寄りの下方支持部３ｈ、３ｈ、及び第２リンク部材４の下方のレバー５の支持部５ｋ、５ｋは、フィルムシート７を介して金属板等からなるベースプレート８に支持されている。
前記フィルムシート７は、例えば表面にラバースプリング６の可動接点部（図示せず）が接触して導通可能な、所定の隙間を有して互いに絶縁された一対の固定接点部（図示せず）が形成されている。
即ち、本発明のキーボードスイッチ１は、可動接点部と固定接点部とからなるスイッチ回路が形成され、キートップ２の押圧操作により可動接点が固定接点に導通してスイッチ回路が切り換わるようになっている。
【００２５】
また、ベースプレート８は、図１５に示すように、一部が一方側に切り起こしされて、一対のスライド支持部８ａ、８ａと回動支持部８ｂ、８ｂとがそれぞれ形成されている。前記スライド支持部８ａ、８ａは、側面視の形状が略Ｌ字状に形成されて、第１リンク部材３の下方支持部３ｈが支持されてスライド可能になっている。
また、一対の回動支持部８ｂ、８ｂも略Ｌ字状に形成され、この回動支持部８ｂ、８ｂ間に、凸部８ｃが円弧状に突出形成されている。そして、回動支持部８ｂに第２リンク部材４の支持部５ｋを嵌合させると、下方のレバー５の他端部５ｊが凸部８ｃで押圧されて抜け止めされるようになっている。
そのために、第２リンク部材４は、下方のレバー５が支持部５ｋを支点として回動自在になっている。
【００２６】
前述したような本発明のキーボードスイッチ１の組立は、まず、事前にＶ字状に組み合わせて第２リンク部材４を準備しておく。
また、事前にフィルムシート７の固定接点部が形成された部分に、弾性部材であるラバースプリング６が接着剤等で固着されている。
そして、フィルムシート７をベースプレート８上に載置し、その後、第１レバー部材３の他方の面３ｃをベースプレート８と対向させた状態で、ベースプレート８のスライド支持部８ａ、８ａに第１レバー部材３の下方支持部３ｈ、３ｈを係合させる。
すると、第１リンク部材３は、ベースプレート８上に倒れた状態となり、開口部３ｊ内にラバースプリング６が位置すると共に、ベースプレート８の回動支持部８ｂ、８ｂも開口部３ｊ内に位置する。
【００２７】
次に、第１リンク部材３の開口部３ｊ内に位置する回動支持部８ｂ、８ｂに、事前にＶ字状に組み合わせた第２リンク部材４の下方のレバー５の支持部５ｋ、５ｋを係合させて、第２リンク部材４をベースプレート８に組み付ける。
すると、第２リンク部材４は、互いの連結孔５ｆに嵌合させた連結突起５ｄを支点として折り畳まれて、上方と下方のレバー５、５が重なり合った状態となる。
この時の第１、第２リンク部材３、４の関係は、図２の上面図に示すように、開口部３ｊ及び切り欠き部５ｂに挟まれた部分にラバースプリング６が位置するようになっている。
【００２８】
次に、図２に示す状態の第１、第２リンク部材３、４の上方にキートップ２を位置させて、第１回動支持部２ｅ、２ｅを第１リンク部材３の割り溝３ｆが形成された上方支持部３ｅ、３ｅに位置合わせすると共に、第２回動支持部２ｆ、２ｆを第２リンク部材４の支持部５ｋに、それぞれ位置合わせする。
この状態で、キートップ２を下方に押圧すると、ラバースプリング６が弾性変形してベースプレート８に密着すると共に、第１リンク部材３の上方支持部３ｅ、３ｅがキートップ２の第１回動支持部２ｅ、２ｅにスナップ係合される。
同時に、第２リンク部材４の支持部５ｋ、５ｋが第２回動支持部２ｆ、２ｆにスナップ係合される。
【００２９】
このことにより、キートップ２が、第１、第２リンク部材３、４に支持されて昇降自在となり、その後キートップ２の押圧を解除すると、キートップ２は、ラバースプリング６の弾性付力で、ベースプレート８から所定量上昇した初期状態に自動復帰するようになっている。
前記第１、第２リンク部材３、４に支持されたキートップ２は、互いに直交する方向に配設された第１、第２リンク部材３、４の作用により、水平状態でベースプレート８に対して垂直に昇降するようになっている。
【００３０】
このように組み立てられた本発明の形態のキーボードスイッチ１の操作を、図１〜図４に基づいて説明すると、まず、ラバースプリング６の弾性力で初期状態にあるキートップ２を下方に押圧操作する。
すると、第１リンク部材３は、上方支持部３ｅ、３ｅがベースプレート８側に垂直降下すると共に、下方支持部３ｈがベースプレート８のスライド支持部８ａをスライドする。同時に、第２リンク部材４は、Ｖ字状に組み合わされた上方のレバー５の支持部５ｋが、下方のレバー５の支持部５ｋ上に垂直降下する。
このことにより、第１リンク部材３が、ベースプレート８と平行になる方向に傾倒すると共に、第２リンク部材４の一対のレバー５、５が互いに重なるように折り畳まれて、キートップ２が水平状態でベースプレート８側に垂直降下する。
【００３１】
前記垂直降下するキートップ２が、押圧して弾性変形するラバースプリング６は、空洞部内の天井部に形成した可動接点部（図示せず）がフィルムシート７に形成している固定接点部（図示せず）に接触して導通し、フィルムシート７のスイッチ回路が切り換わる。
その後、キートップ２に加えていた押圧力を解除すると、ラバースプリング６の弾性復帰力でキートップ２が矢印Ａの上方に上昇して初期状態に自動復帰すると共にスイッチ回路も初期状態に切り換わるようになっている。
また、キートップ２の押圧位置が、操作面２ａの中央部でなく端部側であったとしても、キートップ２は、第１、第２リンク部材３、４の作用で水平状態で、且つ垂直方向に昇降するようになっている。
【００３２】
また、本発明のの実施の形態では、フィルムシート７を１枚シートで説明したが、図示を省略するが、スペーサーシートを挟んで上下に対向させて一対のフィルムシート７、７を配設し、この一対のフィルムシート７、７の互いに対向する部分に接点部を形成し、この接点部形成部分をラバースプリング６が押圧することによりスイッチ回路が切り換わるようにしたものでも良い。
【００３３】
【発明の効果】
以上述べたように、本発明のキーボードスイッチは、第１リンク部材と、側面視Ｖ字状で互いに対向する両端部が接離自在に組み合わされた第２リンク部材とからなり、この第２リンク部材は、第１リンク部材に対して直交する方向に配設されると共に、両端部に形成したそれぞれの支持部がキートップ及びベースプレートにそれぞれ回動自在に支持されているので、キートップを水平状態でベースプレートに対して垂直に降下させることができる。
そのために、複数のキーボードスイッチを隣り合わせて配置しても、隣り合うキーボードスイッチ間の間隔を狭めることができ、本発明のキーボードスイッチを使用する例えばキーボード装置を小型化できる。
【００３４】
また、第２リンク部材は、Ｖ字状の交叉部分を弾性部材近傍に位置させて配設され、第１リンク部材は、弾性部材及び第２リンク部材を包含する大きさに形成されているので、第２リンク部材を第１リンク部材の内側に排泄することができ、小型化が可能なキーボードスイッチを提供できる。
【００３５】
また、第２リンク部材は、一方と他方の一対のレバーをＶ字状に組み合わせて互いに回動自在に構成されているので、Ｖ字状の交叉部分を確実に回動させることができ、キートップの操作性が良い。
また、一方と下方のレバーを同一形状とすることができ、部品のバラエティを削減することができる。
【００３６】
また、第２リンク部材の一対のレバーには、それぞれ凸部と凹部が形成され、一対のレバーを互いに対向させてＶ字状に組み合わせることにより、上方のレバーの凸部と凹部と、下方のレバーの凹部と凸部とを互いに嵌合させて組み合わせているので、一方と下方のレバーは、接離する方向と直交する方向のズレが規制されて、押圧操作するキートップに横ガタのない操作性に優れたキーボードスイッチを提供できる。
【００３７】
また、少なくとも第１リンク部材の支持部に割り溝を形成し、この支持部をキートップに形成した回動支持部にスナップ係合させるようにしたので、組立が容易なキ−ボードスイッチを提供できる。
【図面の簡単な説明】
【図１】本発明に関するキーボードスイッチの斜視図である。
【図２】図１の平面図である。
【図３】図２正面図である。
【図４】図２の右側面図である。
【図５】図７の５−５断面図である。
【図６】図７の６−６断面図である。
【図７】本発明に係わるキートップの下面図である。
【図８】本発明に係わる第１リンク部材を説明する図である。
【図９】本発明に係わる第１リンク部材を説明する図である。
【図１０】本発明に係わる第２リンク部材を説明する図である。
【図１１】本発明に係わる第２リンク部材を説明する図である。
【図１２】本発明に係わる第２リンク部材を説明する図である。
【図１３】第２リンク部材の組立を説明する図である。
【図１４】第２リンク部材の組立を説明する図である。
【図１５】本発明に係わるベースプレートを説明する図である。
【図１６】本発明に係わるベースプレートを説明する図である。
【図１７】本発明に係わるベースプレートを説明する図である。
【図１８】従来のキーボードスイッチの概略図である。
【符号の説明】
１  本発明に関するキーボードスイッチ
２  キートップ
２ｅ  第１回動支持部
２ｆ  第２回動支持部
３  第１リンク部材
３ａ  本体部
３ｅ  上方支持部
３ｈ  下方支持部
４  第２リンク部材
５  レバー
５ｄ  連結突起
５ｆ  連結孔
５ｇ  凹部
５ｈ  凸部
６  ラバースプリング
７  フィルムシート
８  ベースプレート
８ａ  スライド支持部
８ｂ  回動支持部
８ｃ  凸部
【図１】
2004281140.tif 000003
【図２】
2004281140.tif 000004
【図３】
2004281140.tif 000005
【図４】
2004281140.tif 000006
【図５】
2004281140.tif 000007
【図６】
2004281140.tif 000008
【図７】
2004281140.tif 000009
【図８】
2004281140.tif 000010
【図９】
2004281140.tif 000011
【図１０】
2004281140.tif 000012
【図１１】
2004281140.tif 000013
【図１２】
2004281140.tif 000014
【図１３】
2004281140.tif 000015
【図１４】
2004281140.tif 000016
【図１５】
2004281140.tif 000017
【図１６】
2004281140.tif 000018
【図１７】
2004281140.tif 000019
【図１８】
2004281140.tif 000020